(57)【要約】【課題】カメラ性能を劣化させることなく、複数の記録媒体のそれぞれの特徴を生かしてデータを記録することができる電子カメラを提供する。【解決手段】本発明によるカメラ１０は、特性（記録速度、容量、書換可能／不能など）の異なる複数の記録媒体４６、４８を同時に装着できる。カメラ１０のＣＰＵ１２は、各記録媒体４６、４８の種別を認識し、それぞれの記録容量を確認する。一方の記録媒体（一次記録媒体）４６は、高速アクセスできる書換可能なフラッシュメモリであり、他方の記録媒体（二次記録媒体）４８は、安価で大容量の書換不能なライトワンスメモリとする。ユーザがシャッターボタン３４を押し、撮影画像を記録する時には、より高速な記録媒体４６にデータを記録する。ユーザは記録媒体４６に記録された画像内容を確認して必要な画像を選択し、選択した画像を別の記録媒体４８に記録する。【選択図】    図１
2004201226.tif 000002
【特許請求の範囲】
【請求項１】
撮影によって取得した画像のデータを記録する媒体として、特性の異なる複数の記録媒体を使用できる電子カメラであって、
当該電子カメラに同時搭載される前記複数の記録媒体の特性を認識する特性認識手段と、
撮影実行の指示を入力する撮影指示入力手段と、
前記撮影指示入力手段からの指示に基づいて取得した画像のデータを前記複数の記録媒体のうち相対的に記録速度の速い一方の記録媒体に記録する処理を行う一次記録処理手段と、
前記一方の記録媒体に記録された画像のうち他方の記録媒体に記録させる画像を選択する選択手段と、
前記選択手段により選択された画像のデータを前記他方の記録媒体に記録する処理を行う二次記録処理手段と、
を備えたことを特徴とする電子カメラ。
【請求項２】
前記複数の記録媒体のうち前記一方の記録媒体は書換可能なフラッシュメモリであり、前記他方の記録媒体は書換不能なライトワンスメモリであることを特徴とする請求項１記載の電子カメラ。
【請求項３】
前記複数の記録媒体のうち前記一方の記録媒体は２値フラッシュメモリであり、前記他方の記録媒体は多値フラッシュメモリであることを特徴とする請求項１記載の電子カメラ。
【請求項４】
前記複数の記録媒体のうち前記一方の記録媒体はカメラ本体に内蔵された内蔵メモリであり、前記他方の記録媒体はカメラ本体に対して着脱自在な外部メモリであることを特徴とする請求項１、２又は３記載の電子カメラ。
【請求項５】
前記選択手段による画像選択の際に画像内容を確認し得る画像表示手段を備えていることを特徴とする請求項１乃至４の何れか１項記載の電子カメラ。
【発明の詳細な説明】
【０００１】
【発明の属する技術分野】
本発明は被写体の光学像を電気信号に変換する撮像手段を備えた電子カメラに係り、特に複数の記録媒体に画像データを記録可能な電子カメラに関する。
【０００２】
【従来の技術】
特許文献１には、磁気テープと半導体メモリとを併用して画像信号を記録及び再生し得るデジタルＶＴＲ装置が開示されている。同文献１に示されたＶＴＲ装置は、画像記録時に磁気テープと半導体メモリの両方に画像データを同時に記録している。すなわち、入力された高解像度画像信号から生成された低解像度符号化データ、差分符号化データ、テープアドレスデータ及びモードデータを多重化したデータが磁気テープに記録され、半導体メモリには低解像度符号化データ及びテープアドレスデータが記録される。
【０００３】
そして、通常の再生時には磁気テープに記録されているデータを再生して高解像度の再生画像を得る一方、早送り再生或いは逆転再生等の特殊再生の指示が入力されたときには、半導体メモリからの低解像度符号化データに基づいて画像を再生するようになっている。
【０００４】
【特許文献１】
特開平７−２８８７７７号公報
【０００５】
【発明が解決しようとする課題】
特許文献１の他、従来、複数の記録媒体を使用できるデジタルカメラも提案されているが、記録媒体にはそれぞれ特性があり、複数の記録媒体を挿入可能なダブルスロットにそれぞれ特徴の異なる記録媒体が挿入されたときには、目標のカメラ性能を達成できないことが想定される。例えば、記録速度の極めて遅い記録媒体に対して直接動画を記録するときなどは、一定記録速度以上で記録されないと画質が劣化する。また、静止画を記録するときについても、記録処理が遅く、次の撮影までの間隔（記録間隔）が長くなり、シャッターチャンスを逃してしまう。
【０００６】
一方、記録容量が少ない記録媒体を使用するときには、動画の記録時間が短くなるとともに、低圧縮かつ高画素のデータ量の大きい画像は記録枚数が少なくなる。このように、装着される記録媒体によっては目標のカメラ性能を十分に引き出せないことがある。
【０００７】
本発明はこのような事情に鑑みてなされたもので、カメラ性能を劣化させることなく、各記録媒体の特徴を生かしてデータを記録することができる電子カメラを提供することを目的とする。
【０００８】
【課題を解決するための手段】
前記目的を達成するために本発明に係る電子カメラは、撮影によって取得した画像のデータを記録する媒体として、特性の異なる複数の記録媒体を使用できる電子カメラであって、当該電子カメラに同時搭載される前記複数の記録媒体の特性を認識する特性認識手段と、撮影実行の指示を入力する撮影指示入力手段と、前記撮影指示入力手段からの指示に基づいて取得した画像のデータを前記複数の記録媒体のうち相対的に記録速度の速い一方の記録媒体に記録する処理を行う一次記録処理手段と、前記一方の記録媒体に記録された画像のうち他方の記録媒体に記録させる画像を選択する選択手段と、前記選択手段により選択された画像のデータを前記他方の記録媒体に記録する処理を行う二次記録処理手段と、を備えたことを特徴とする。
【０００９】
本発明の電子カメラは、特性の異なる複数の記録媒体を同時に搭載し、これら複数の記録媒体に撮影画像のデータを記録することができる。記録媒体は、カメラに内蔵された固定媒体（内蔵メモリなど）であってもよいし、カメラに着脱可能な可搬型媒体（リムーバブルメディア）であってもよく、複数の記録媒体のうち一方を固定媒体、他方を可搬型媒体とする態様も可能である。記録媒体の特性には、例えば、記録速度、容量、書換可能（リライタブル）であるか書換不能（ライトワンス）であるか、などが含まれる。
【００１０】
本発明では、カメラに取り付けられた記録媒体についてそれぞれの特性を特性認識手段によって把握し、相対的に記録速度の速い一方の記録媒体（一次記録媒体）に撮影画像のデータを一時的に記録する。その後、選択手段によって一次記録媒体の記録画像の中から他方の記録媒体に記録すべき画像が選択され、選択に係る画像のデータが二次記録媒体に書き込まれる。
【００１１】
選択手段は、ユーザが操作し得る操作手段であってもよいし、所定のプログラムに従って対象画像を自動的に選択する自動選択手段であってもよい。例えば、ユーザが選択手段を操作して一次記録媒体の記録画像の中から他方の記録媒体に記録すべき画像を選択し、二次記録媒体への画像記録の指示を入力すると、選択に係る画像のデータが二次記録媒体に書き込まれる。
【００１２】
このように、記録速度の速い一次記録媒体に撮影画像のデータを一旦記録し、データを確認してからユーザの選択に応じて又は自動選択によってデータを二次記録媒体に格納する構成にしたので、記録間隔の短縮化を達成でき、貴重なシャッターチャンスを逃さずに撮影できる。
【００１３】
本発明の一態様として、前記複数の記録媒体のうち前記一方の記録媒体は書換可能なフラッシュメモリであり、前記他方の記録媒体は書換不能なライトワンスメモリであることを特徴とする態様がある。
【００１４】
書換可能なフラッシュメモリは、単位記憶容量当たりの価格が比較的高価であるのに対し、書換不能なライトワンスメモリは比較的安価であるため、一次記録媒体に書換可能なフラッシュメモリを用い、二次記録媒体にライトワンスメモリを用いる態様が好ましい。
【００１５】
本発明の他の態様として、前記複数の記録媒体のうち前記一方の記録媒体は２値フラッシュメモリであり、前記他方の記録媒体は多値フラッシュメモリであることを特徴とする態様がある。
【００１６】
２値フラッシュメモリは、各メモリセルに２つのしきい値（「０」と「１」）でデータを記録するものであるのに対し、多値フラッシュメモリは複数のしきい値でデータを記録するものである（特開昭59-121696 号公報、特開平11-31102号公報、特開2001-306409 号公報等参照）。２値フラッシュメモリは、多値フラッシュメモリと比べて相対的に読み書き速度（アクセス速度）が高速であるが、単位記録容量あたりの価格が高価である。逆に、多値フラッシュメモリは、低速ではあるが安価である。
【００１７】
このような各記録媒体の特性を生かして、画像データを記録することにより、カメラ性能を向上させることができるとともに、安価で大容量のデータを記録することが可能になる。
【００１８】
本発明の更に他の態様として、前記複数の記録媒体のうち前記一方の記録媒体はカメラ本体に内蔵された内蔵メモリであり、前記他方の記録媒体はカメラ本体に対して着脱自在な外部メモリであることを特徴とする態様がある。
【００１９】
【発明の実施の形態】
以下添付図面に従って本発明に係る電子カメラの好ましい実施の形態について詳説する。
【００２０】
図１は本発明の実施形態に係る電子カメラの構成を示すブロック図である。同図に示したカメラ１０は、被写体の光学像をデジタル画像データに変換して記録媒体に記録するデジタルカメラであり、静止画の記録再生機能及び音声付き動画の記録再生機能を具備している。
【００２１】
カメラ１０全体の動作は、カメラ内蔵の中央処理装置（ＣＰＵ）１２によって統括制御される。 ＣＰＵ１２は、所定のプログラムに従って本カメラシステムを制御する制御手段として機能するとともに、自動露出（ＡＥ）演算、自動焦点調節（ＡＦ）演算など各種演算を実施する演算手段として機能する。
【００２２】
ＣＰＵ１２はバス１４を介してメモリ制御回路１６と接続されており、該メモリ制御回路１６はバス１８を介してＲＯＭ２０及びメモリ（ＳＤＲＡＭ）２２と接続されている。ＲＯＭ２０にはＣＰＵ１２が実行するプログラム及び制御に必要な各種データ等が格納されている。メモリ２２はプログラムの展開領域及びＣＰＵ１２の演算作業用領域として利用されるとともに、画像データや音声データの一時記憶領域として利用される。なお、不揮発性記憶手段であるＲＯＭ２０は書換不能なものであってもよいし、ＥＥＰＲＯＭのように書換可能なものでもよい。
【００２３】
カメラ１０にはユーザが各種の指令を入力するための操作手段３０が設けられている。操作手段３０は、画質モード設定操作部３１、記録画素数設定操作部３２、動画／静止画モード選択操作部３３、シャッターボタン３４、連写モード設定操作部３５などの各種操作部を含む。
【００２４】
画質モード設定操作部３１は、撮影した画像データの記録画質（ここでは、圧縮率）を設定するための操作手段である。本例のカメラ１０では、撮影の目的に合わせて、高画質（低圧縮率) の「FINE」, 標準画質の「NORMAL」 ,高圧縮率の「BASIC 」という三種類の画質（記録圧縮率）を選択することができる。
【００２５】
記録画素数設定操作部３２は、撮影した画像データの記録画素数（画像サイズ）を設定するための操作手段である。本例のカメラ１０では、2832×2128（６Ｍ）、2048×1536（３Ｍ）、1280× 960（１Ｍ）、640 × 480（ＶＧＡ）の何れかの記録画素数を選択できる。記録画質と記録画素数との組合せによって撮影画像のデータ量（ファイルサイズ）が変化する。
【００２６】
動画／静止画モード選択操作部３３は、動画の記録を行う「動画モード」と静止画の記録を行う「静止画モード」とを切り換えるための操作手段である。シャッターボタン３４は、撮影開始の指示を入力する操作手段であり、動画撮影においては録画開始（スタート）／停止（ストップ）ボタンとして機能し、静止画撮影においてはレリーズボタンとして機能する。シャッターボタン３４は、半押し時にＯＮするＳ1 スイッチと、全押し時にＯＮするＳ2 スイッチとを有する二段ストローク式のスイッチで構成されている。
【００２７】
連写モード設定操作部３５は、１回のシャッターボタン３４の押下操作によって静止画の連続撮影（連写）を実行する連写モードと、１回のシャッターボタン３４の押下操作によって１回の静止画撮影を実行する通常のモード（単写モード）とを切り換えるための操作手段である。
【００２８】
また、図には示されていないが、操作手段３０には、撮影モードと再生モードとを切り換えるためのモード選択手段、撮影倍率や再生倍率を変更するズーム操作手段、液晶モニタ４０にメニュー画面を表示させるメニューボタン、メニュー画面から所望の項目を選択する十字キー（カーソル移動操作手段）、選択項目の確定や処理の実行を指令するＯＫボタン、選択項目など所望の対象の消去や指示内容の取消し、或いは１つ前の操作状態に戻らせる指令を入力するキャンセルボタンなどの操作手段も含まれる。なお、操作手段３０の中には、プッシュ式のスイッチ部材、ダイヤル部材、レバースイッチなどの構成によるものに限らず、メニュー画面から所望の項目を選択するようなユーザインターフェースによって実現されるものも含まれている。
【００２９】
操作手段３０からの操作信号はＣＰＵ１２に入力される。ＣＰＵ１２は操作手段３０からの入力信号に基づいてカメラ１０の各回路を制御し、例えば、レンズ駆動制御、撮影動作制御、画像処理制御、画像データの記録／再生制御、液晶モニタ４０の表示制御などを行う。
【００３０】
液晶モニタ４０は、撮影時に画角確認用の電子ファインダーとして使用できるとともに、記録済み画像を再生表示する手段として利用される。また、液晶モニタ４０は、ユーザインターフェース用表示画面としても利用され、必要に応じてメニュー情報や選択項目、設定内容などの情報が表示される。なお、液晶ディスプレイに代えて、有機ＥＬなど他の方式の表示装置（表示手段）を用いることも可能である。
【００３１】
カメラ１０は、２つのメディアソケット（メディア装着部）４２、４４を有し、それぞれのメディアソケット４２、４４に異種の記録媒体４６、４８を装着することができる。記録媒体４６、４８の形態は特に限定されず、スマートメディア（商標）に代表される半導体メモリカード、マイクロドライブ（商標）に代表される可搬型の小型ハードディスク、磁気ディスク、光ディスク（ＣＤ−Ｒ，ＣＤ−ＲＷ，ＤＶＤ−Ｒ，ＤＶＤ−ＲＡＭなど）、光磁気ディスクなど種々の媒体を用いることができる。本発明の実施に際しては、メディアソケットの個数は特に限定されない。また、画像データを記録する手段はリムーバブルメディア（カメラ１０に対して着脱自在な構造の可搬型記録媒体）に限らず、カメラ１０に内蔵された記録媒体（内部メモリ）であってもよい。
【００３２】
ただし、画像データを保存するという役割を果たすために、電源が切られてもデータ内容が保持されること（不揮発性の記憶手段であること）が必要である。この点で、揮発性のワークメモリ（符号２２）とは異なる。
【００３３】
本例では、第１のメディアソケット４２に装着される記録媒体４６として書換可能なフラッシュメモリを用い、第２のメディアソケット４４に装着される記録媒体４８として書換不能なライトワンスメモリを用いるものとする。
【００３４】
書換可能なフラッシュメモリは、書換不能なライトワンスメモリと比べて記録速度が速く、高価な媒体である。逆に、書換不能なライトワンスメモリは、フラッシュメモリよりも記録速度が遅く、安価な媒体である。
【００３５】
このような記録媒体４６、４８の特性を生かすように、本カメラ１０においては、記録に用いる記録媒体４６又は４８を自動的に選択する機能を備えている。カメラ１０のメディア選択機能については後述する。
【００３６】
２つのメディアソケット４２、４４はバス５０を介してメディアインターフェース（Ｉ／Ｆ）回路５２に接続されている。メディアＩ／Ｆ回路５２は、バス１４経由でＣＰＵ１２と接続されており、ＣＰＵ１２の指令に従い記録媒体４６、４８の読み書きに適した入出力信号の受渡しを行うために所要の信号変換を行う。
【００３７】
各メディアソケット４２、４４は、記録媒体４６、４８の装着の有無を検出するためのメディア検知端子（不図示）を有しており、記録媒体４６、４８の装着状態／未装着状態を示す検知信号はメディアＩ／Ｆ回路５２を経由してＣＰＵ１２に入力される。
【００３８】
また、カメラ１０はパソコンその他の外部機器と接続するための通信手段としてＵＳＢ通信回路５４を備えている。図示せぬＵＳＢケーブルを用いてカメラ１０と外部機器を接続することにより、外部機器との間でデータの受渡しが可能となる。もちろん、通信方式はＵＳＢに限らず、IEEE1394やBluetooth その他の通信方式を適用してもよい。外部機器との間で通信を行う通信モードについては、カメラ１０が外部機器と通信接続されることにより、自動的に他のモード（静止画撮影モード／再生モード／動画モード）に優先して設定される。
【００３９】
次に、カメラ１０の撮影機能について説明する。
【００４０】
カメラ１０は、撮影レンズ５６とＣＣＤ固体撮像素子（以下、ＣＣＤという。）５８を備えている。撮影レンズ５６は単焦点レンズであってもよいし、ズームレンズのような焦点距離可変のものでもよい。
【００４１】
撮影モードが選択されるとＣＣＤ５８を含む撮像部に不図示の電源部から電力が供給され、撮影可能な状態になる。撮影レンズ５６を通過した光は、不図示の絞り機構によって光量が調節された後、ＣＣＤ５８の受光面に結像される。ＣＣＤ５８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５８は、各フォトダイオードの電荷蓄積時間（シャッタースピード）を制御する電子シャッター機能を有している。
【００４２】
ＣＰＵ１２は、パラレル入出力回路６０を介してドライバ回路６２に指令を送り、ＣＣＤ５８の電荷蓄積時間や電荷転送を制御する。なお、ＣＣＤ５８に代えてＭＯＳ型など他の方式の撮像素子を用いてもよい。
【００４３】
ＣＣＤ５８の受光面に結像された被写体像は、各フォトダイオードによって入射光量に応じた量の信号電荷に変換される。各フォトダイオードに蓄積された信号電荷は、ＣＰＵ１２の指令に従いドライバ回路６２から与えられる駆動パルスに基づいて信号電荷に応じた電圧信号（画像信号）として順次読み出される。
【００４４】
ＣＣＤ５８から出力された信号はアナログ処理部６４に送られ、ここで各画素ごとのＲ、Ｇ、Ｂ信号がサンプリングホールド（相関二重サンプリング処理）され、増幅された後、Ａ／Ｄ変換器６６に送られる。Ａ／Ｄ変換器６６は、順次入力するＲ、Ｇ、Ｂ信号をデジタル信号に変換して信号処理回路６８に出力する。
【００４５】
信号処理回路６８は、Ａ／Ｄ変換されたデジタル形式の画像データをＣＰＵ１２の指令に従って処理する。すなわち、信号処理回路６８は、同時化回路（単板ＣＣＤのカラーフィルタ配列に伴う色信号の空間的なズレを補間して色信号を同時式に変換する処理回路）、輝度・色差信号生成回路、ガンマ補正回路、輪郭補正回路、ホワイトバランス補正回路等を含む画像処理手段として機能するとともに音声処理手段として機能し、ＣＰＵ１２からのコマンドに従ってメモリ２２を活用しながら画像信号及び音声信号を処理する。
【００４６】
信号処理回路６８に入力されたＲＧＢの画像データは、信号処理回路６８において輝度信号（Ｙ信号）及び色差信号（Ｃr,Ｃb 信号）に変換されるとともに、ガンマ補正等の所定の処理が施される。信号処理回路６８で処理された画像データはメモリ２２に格納される。
【００４７】
撮像中の映像を液晶モニタ４０に出力する場合、メモリ２２から画像データが読み出され、バス１４を介して表示制御回路７０に送られる。表示制御回路７０は、入力された画像データを表示用の所定方式の信号（例えば、ＮＴＳＣ方式のカラー複合映像信号）に変換して液晶モニタ４０に出力する。
【００４８】
ＣＣＤ５８から出力される画像信号によってメモリ２２内の画像データが定期的に書き換えられ、その画像データから生成される映像信号が液晶モニタ４０に供給されることにより、撮像中の映像がリアルタイムに液晶モニタ４０に表示される。撮影者は、液晶モニタ４０に映出される映像（スルームービー画）によって撮影画角を確認できる。
【００４９】
静止画撮影モードにおいてシャッターボタン３４が押され、Ｓ1 スイッチがＯＮすると、ＣＰＵ１２はこれを検知してＡＥ及びＡＦ制御を行い、シャッターボタン３４の全押し（Ｓ2 ＝ＯＮ）を検知すると、記録用の画像を取り込むためのＣＣＤ露光及び読み出し制御を開始する。
【００５０】
すなわち、ＣＰＵ１２は、Ｓ1 ＝ＯＮに応動して取り込まれた画像データから焦点評価演算やＡＥ演算などの各種演算を行い、その演算結果に基づいて不図示のレンズ駆動用のモータを制御して撮影レンズ５６を合焦位置に移動させるとともに、図示せぬ絞り機構を制御する。そして、Ｓ2 ＝ＯＮに応動して、画像取得時の電荷蓄積時間を制御する。
【００５１】
こうして、取り込まれた画像データは、信号処理回路６８において輝度・色差信号変換処理（ＹＣ処理）その他の所定の信号処理を経た後、圧縮伸張回路７２に送られ、ここで所定の圧縮フォーマット（例えば、JPEG方式) に従って圧縮される。圧縮された画像データは、メディアＩ／Ｆ回路５２を介して記録媒体４６又は４８に記録される。
【００５２】
動画／静止画モード選択操作部３３によって動画モードが選択されると、当該カメラ１０によって音声付き動画の記録が可能となる。シャッターボタン３４の押下（Ｓ2 ＝ＯＮ）によって録画動作がスタートし、もう一度シャッターボタン３４を押下（Ｓ1 ＝ＯＮ）すると動画記録作が停止する。なお、シャッターボタン３４を押下継続している期間中録画動作を行い、押下解除により録画を停止するようにしてもよい。
【００５３】
動画撮影時の音声は、カメラ１０に内蔵されたマイク７４によって検出され、その検出信号（音声信号）は、アンプ７６を介して増幅され、Ａ／Ｄ変換器７７によってデジタル信号に変換された後、信号処理回路６８に送られる。信号処理回路６８は入力された音声データを所定の信号形式に変換する。こうして生成された音声データは、画像データと共に圧縮伸張回路７２において圧縮処理され、メディアＩ／Ｆ回路５２を介して記録媒体４６又は４８に記録される。動画データは、例えば、モーション JPEG 形式に従って記録される。
【００５４】
モーションJPEG方式では、ＣＣＤ５８から取得した画像データを一旦、内部のメモリ２２に記憶した後、信号処理回路６８において輝度／色差信号に変換し、１画像内でJPEG圧縮しながら、外部の記録媒体４６又は４８に一定のフレームレート（予め設定されているフレームレート）で静止画を連続的に保存していく。なお、動画のファイル形式はモーションJPEGに限定されず、MPEGなど他のファイル形式を適用してもよい。MPEG方式の場合は、フレーム内圧縮及びフレーム間圧縮を行いながら外部の記録媒体４６又は４８に連続的に記録する。
【００５５】
操作手段３０によって再生モードが選択されると、記録媒体４６又は４８に記録されている最後の画像ファイル（最後に記録されたファイル）のデータが読み出される。最後の記録に係るファイルが静止画ファイルの場合、この読み出された画像ファイルの圧縮データは、圧縮伸張回路７２を介して非圧縮のＹＣ信号に伸張され、信号処理回路６８及び表示制御回路７０を介して表示用の信号に変換された後、液晶モニタ４０に出力される。これにより、当該ファイルの画像内容が液晶モニタ４０上に表示される。
【００５６】
再生対象ファイルが動画ファイルの場合には、動画の先頭フレームが代表画像として液晶モニタ４０に表示され、動画再生開始の指示を受け付ける画面になる。動画の先頭フレームが表示されている状態で操作手段３０から所定の操作を行い、動画再生を開始させると、動画ファイルの再生処理がスタートし、液晶モニタ４０に動画が表示されるとともに、信号処理回路６８において再生処理された音声データがＤ／Ａ変換器８０、アンプ８２を介してスピーカ８４に出力され、動画と同時に記録した音声も再生される。
【００５７】
静止画の一コマ再生中（動画の先頭フレーム表示中も含む。）に、十字キーの右キー又は左キーを操作することによって、再生対象のファイルを切り換えること（順送り／逆送り）ができる。コマ送りされた位置の画像ファイルが記録媒体４６又は４８から読み出され、上記と同様にして静止画像や動画が液晶モニタ４０に再生表示される。
【００５８】
次に、上記の如く構成されたカメラ１０の画像記録動作について説明する。
【００５９】
２つの記録媒体４６、４８を同時に装着し得るデュアルスロット式のカメラ１０は、装着されている記録媒体４６、４８の特性を生かしてデータを記録できるように工夫されている。
【００６０】
図２は、カメラ１０の撮影処理手順を示すフローチャートである。ＣＰＵ１２は、まず、メディア検知信号を読み込み（ステップＳ１１０）、メディアソケット４２、４４に記録媒体４６、４８が装着されているか否かを確認する（ステップＳ１１２）。２つのメディアソケット４２、４４の何れにも記録媒体４６、４８が装着されていない場合には、記録媒体４６、４８が未装着であることを示すエラーメッセージを液晶モニタ４０に表示させる（ステップＳ１１４）。
【００６１】
ステップＳ１１２において、少なくとも１つの記録媒体４６、４８が装着されていると判定した場合には、ステップＳ１１６に進み、装着されている記録媒体の種別を認識する。
【００６２】
次いで、２種類の記録媒体４６、４８が同時に装着されているか否かを判定する（ステップＳ１１８）。ステップＳ１１８において１種類の記録媒体４６又は４８のみが装着されていると判定した場合には、保存先を選択する余地がないため、装着されている記録媒体４６又は４８にデータを記録することになる（ステップＳ１２０）。
【００６３】
その一方、ステップＳ１１８において、メディアソケット４２、４４に２種類の記録媒体４６、４８が同時に装着されていると判定した場合には、それぞれの記録媒体４６、４８の記録容量を確認し（ステップＳ１３０）、更に、それぞれの記録媒体４６、４８の記録速度を確認する処理を行う（ステップＳ１３２）。
【００６４】
ＣＰＵ１２は、メディアＩ／Ｆ回路５２を介して各記録媒体４６、４８にアクセスし、それぞれの空き容量を検出する。記録速度は、記録媒体４６、４８の種類よって異なるため、記録媒体４６、４８の種別認識（ステップＳ１１６）の結果に基づいて判断できる。
【００６５】
ステップＳ１３２の後は、図３のステップＳ２１０に進む。すなわち、ＣＰＵ１２はシャッターボタン３４からの信号入力を監視し、Ｓ1 スイッチがＯＮしたか否かの判定を行う（ステップＳ２１０）。ユーザによってシャッターボタン３４が押され、ステップＳ２１０においてＳ1 スイッチがＯＮすると、ＡＥ及びＡＦ処理を実施して（ステップＳ２１２）、Ｓ2 ＝ＯＮの入力を判定する（ステップＳ２１４）。ステップＳ２１４でシャッターボタン３４のＳ2 スイッチがＯＮしていない場合は、Ｓ1 が解除されたか否かを判定する（ステップＳ２１６）。
【００６６】
ステップＳ２１６でＳ1 が解除されていれば、ステップＳ２１０に戻り、撮影指示の入力受け付け状態になる。ステップＳ２１６でＳ1 が解除されていなければステップＳ２１４に戻り、Ｓ2 ＝ＯＮの入力を待機する。ステップＳ２１４でＳ2 ＝ＯＮの入力が検出されると、記録用の撮影が実行される（ステップＳ２１８）。すなわち、ＣＣＤ５８の露光及び読み出し処理が実施され、取得された画像信号の処理が行われる（ステップＳ２２０）。
【００６７】
ステップＳ２２０で生成された画像データは、２つの記録媒体４６、４８のうち、高速アクセス可能かつ書換可能な記録媒体４６に一時的に記録保存される（ステップＳ２２２）。
【００６８】
ステップＳ２２２の後は、ステップＳ２４０に進み、撮影モードの解除操作が行われたか否かの判定を行う。ステップＳ２４０において、撮影モードの解除操作が行われていなければ撮影モードの状態が維持され、ステップＳ２１０に戻る。
【００６９】
ステップＳ２１０でＳ1 ＝ＯＮの指令が入力していないときには、ステップＳ２３０に進み、ユーザからデータ移動の要求が入力されたか否かを判定する。すなわち、カメラ１０は書換可能な記録媒体４６に記録したデータをユーザの操作に応じて書換不能な記録媒体４８にコピーする機能を備えており、ユーザから記録データの移動要求の操作を受け付ける。例えば、メニュー画面から「記録データを移動する」という処理コマンドを選択してＯＫボタンで選択を確定すると、カメラ１０はデータ移動モードに移行する。
【００７０】
ＣＰＵ１２は、ユーザからデータ移動の要求が入力されたか否かを判定する（ステップＳ２３０）。ステップＳ２３０において、記録データの移動要求が入力された場合には、ステップＳ２３２に進み、書換可能な記録媒体４６に記録されている画像を液晶モニタ４０に再生表示する処理を行う（ステップＳ２３２）。
【００７１】
この再生処理は、再生モードと同様に、記録媒体４６内の画像を表示させるものであり、ユーザの操作に応じて順方向コマ送りや逆方向コマ送りによって表示画像を変更することも可能であるし、液晶モニタ４０の表示画面を複数の表示エリアに分割して、複数の画像内容を同時に表示する多画面表示（マルチ再生）することも可能である。
【００７２】
画像再生中に、カメラ１０はユーザから画像の選択操作を受け付ける（ステップＳ２３４）。ユーザは液晶モニタ４０上で画像内容を確認しながら、書換不能な記録媒体４８に保存すべき画像を少なくとも１つ選択する操作を行う。また、ユーザは、記録媒体４８に複写した元のデータを記録媒体４６から削除するか、又は、そのまま保存しておくかの設定を選択する。
【００７３】
画像選択及び複写後の元データの取り扱い設定を行った後、ユーザは対象データを書換不能な記録媒体４８に転送する処理の実行を指令する入力操作（例えば、ＯＫボタンの押下）を行う。
【００７４】
ＣＰＵ１２はユーザから転送処理の実行指令が入力されたか否かを判定し（ステップＳ２３６）、実行指令の入力がない場合は、ステップＳ２３４に戻って入力を待機する。ステップＳ２３６において、転送処理の実行指令が入力された場合には、ステップＳ２３８に進み、選択に係る画像を書換不能な記録媒体４８に記録する処理を実行する。複数の画像が選択されている場合には、選択に係る複数の画像を記録媒体４８に順次記録する処理が行われる。
【００７５】
このとき、データ転送処理中にユーザが記録媒体４６、４８の着脱を行わないように、警告を表示することが好ましい。警告表示手段としては、例えば、液晶モニタ４０に警告メッセージや警告マークなどを表示させる態様、不図示の警告ランプを点灯又は点滅させる態様などがある。
【００７６】
また、転送後に元データを削除する設定になっている場合には、記録媒体４８への記録処理後に記録媒体４６から対象データを自動的に削除するオプション処理を実行する。
【００７７】
ステップＳ２３８において記録媒体４８への書き込み処理が終了したら、ステップＳ２４０に進む。また、ステップＳ２３０でユーザから記録データの移動要求が入力されていない場合もステップＳ２４０に進む。
【００７８】
ステップＳ２４０において、撮影モードの解除操作が行われていなければ、ステップＳ２１０に戻り、上述の処理を繰り返す。その一方、ステップＳ２４０で撮影モードの解除操作が行われた場合には、撮影モードを終了する。
【００７９】
本実施形態によれば、高速アクセス可能な記録媒体４６に撮影画像を一旦記録し、その後、ユーザが画像内容を確認しながら必要な画像を選択して、選択に係る画像を比較的安価な記録媒体４８に記録するようにしたので、記録媒体４６の特性を生かしてカメラ１０の速写性を向上させることができるとともに、大容量の撮影画像データを安価な記録媒体４８に保存することが可能となる。更に、本実施形態によれば、カメラ１０単体で画像を確認しながらユーザが画像の要否を判断して記録画像の整理を行うことができるという利点がある。
【００８０】
上記実施形態では、一次記録媒体である記録媒体４６にデータを記録後、ユーザの選択に応じてデータを記録媒体４８（二次記録媒体）に記録する例を述べたが、一次記録媒体に記録されたデータを自動的に選択して二次記録媒体に記録する制御を行うことも可能である。
【００８１】
例えば、一次記録媒体の空き容量をＣＰＵ１２が監視し、一次記録媒体の残容量が所定の判定基準を下回った場合に、一次記録媒体に記録されている内容の一部又は全部を二次記録媒体４８に自動転送する処理を行う。一次記録媒体に記録されているデータのうち、動画データのみを二次記録媒体に自動転送する態様、或いは一定のファイルサイズよりも大きいサイズのデータを自動転送する態様などがある。
【００８２】
一次記録媒体から二次記録媒体にデータを転送する処理を実行する前に、液晶モニタ４０にその旨を示すメッセージを表示させるなどしてユーザに対して警告を行い、ユーザからの処理実行承認を得てから転送処理を実行してもよい。また、転送処理中にユーザが記録媒体４６、４８の着脱を行わないように、警告を表示することが好ましい。
【００８３】
こうして、撮影前に一次記録媒体の記録データを二次記録媒体に退避させ、一次記録媒体の空き容量を確保して撮影に備える。
【００８４】
また、上記実施形態では、２つの記録媒体４６、４８がともにカメラ１０に着脱可能な外部メモリである態様を述べたが、書換可能な一方の記録媒体をカメラ内蔵の固定媒体とし、書換不能な他方の記録媒体を着脱可能な外部媒体とする態様も好ましい。
【００８５】
一次記録媒体に２値フラッシュメモリを用い、二次記録媒体に多値フラッシュメモリを用いることもできる。
【００８６】
更にまた、図２及び図３で説明したフローチャートでは、撮影モード中に記録データの移動要求を受け付けたが、本発明の実施に際しては、再生モード中に記録データの移動要求を受け付ける態様も可能である。
【００８７】
本発明の適用範囲は上述した実施の形態に限定されず、カメラ付き携帯電話機、カメラ付きＰＤＡ、カメラ付きモバイルパソコンなど、電子撮像機能を備えた他の情報機器についても本発明を適用できる。この場合、撮像部は携帯電話機等の本体から分離可能な着脱式（外付けタイプ）のものであってもよい。
【００８８】
【発明の効果】
以上説明したように本発明に係る電子カメラよれば、カメラに同時搭載される複数の記録媒体の特性に応じて記録媒体を自動選択し、高速アクセス可能な記録媒体に撮影画像を一旦記録し、その後、ユーザが必要に応じて画像を選択して、選択に係る画像を他方の記録媒体に記録するようにしたので、各記録媒体のメリットを生かしてデータを記録することが可能となる。これにより、カメラの性能を十分に引き出すことができる。
【図面の簡単な説明】
【図１】本発明の実施形態に係る電子カメラの構成を示すブロック図
【図２】本例のカメラにおける撮影処理の流れを示したフローチャート
【図３】本例のカメラにおける撮影処理の流れを示したフローチャート
【符号の説明】
１０…カメラ、１２…ＣＰＵ、３１…画質モード設定操作部、３２…記録画素数設定操作部、３３…動画／静止画モード選択操作部、３４…シャッターボタン、３５…連写モード設定操作部、４０…液晶モニタ、４２，４４…メディアソケット、４６，４８…記録媒体、５２…メディアＩ／Ｆ回路、５８…ＣＣＤ
【図１】
2004201226.tif 000003
【図２】
2004201226.tif 000004
【図３】
2004201226.tif 000005